(57)【要約】      （修正有）【課題】段ボール等の使用材料の削減が可能で、接着剤を使用せずに組み立てることができる包装容器を提供する。【解決手段】被包装体の環形蛍光ランプ１の外径よりも一回り大きい正方形の段ボール材１０，２０に、それぞれ環形蛍光ランプ１の外側を保持するための係止部１１ａ〜１１ｄ、２１ａ〜２１ｄを切り起こしによって形成する。段ボール材１０係止部１１ａ〜１１ｄの中央部には、他方の段ボール材２０と嵌合させるためのスリット１２ａ〜１２ｄを形成する。一方、段ボール材２０の係止部２１ａ〜２１ｄには、スリット１２ａ〜１２ｄに挿入して連結するための突起２２ａ〜２２ｄを設ける。環形蛍光ランプ１を段ボール材１０，２０で挟み、係止部１１ａ〜１１ｄと係止部２１ａ〜２１ｄを連結することにより、少ない使用材料で接着剤を使用せずに、環形蛍光ランプ１を包装することができる。【選択図】図１
2010168097.tif 000002
【特許請求の範囲】
【請求項１】
一定の厚みを有する被包装体を挟む第１及び第２の板材から成る包装容器であって、
前記第１の板材は、前記被包装体の外側を保持するために切り起こしによって形成されて、中央部にスリットが設けられた複数の第１の係止部を有し、
前記第２の板材は、前記第１の係止部と連携して前記被包装体の外側を保持するために切り起こしによって形成されて、それぞれ対応する前記第１の係止部のスリットに挿入して連結するための突起が設けられた複数の第２の係止部を有する、
ことを特徴とする包装容器。
【請求項２】
前記第１及び第２の係止部の高さは、前記被包装体の厚みと同じ寸法に形成されることを特徴とする請求項１に記載の包装容器。
【請求項３】
前記第１及び第２の板材の形状は正方形または長方形とし、４つの辺の中央部にそれぞれ前記第１及び第２の係止部を形成したことを特徴とする請求項２に記載の包装容器。
【請求項４】
前記第１及び第２の板材の形状は正方形または長方形とし、４つの角部にそれぞれ前記第１及び第２の係止部を形成したことを特徴とする請求項２に記載の包装容器。
【請求項５】
前記第１または第２の板材のいずれか一方の外面には、前記被包装体の品種を特定しない共通事項のみが印刷されることを特徴とする請求項１乃至４のいずれか１項に記載の包装容器。
【請求項６】
一定の厚みを有する被包装体を挟む第１及び第２の板材と、該第１及び第２の板材を接続する第３の板材から成る包装容器であって、
前記第１の板材は、前記被包装体の外側を保持するために切り起こしによって形成されて、中央部にスリットが設けられた複数の第１の係止部を有し、
前記第２の板材は、前記第１の係止部と連携して前記被包装体の外側を保持するために切り起こしによって形成されて、それぞれ対応する前記第１の係止部のスリットに挿入して連結するための突起が設けられた複数の第２の係止部を有し、
前記第１及び第２の板材は、前記被包装体の厚みとほぼ同じ幅に形成された前記第３の板材を介して接続されて一体形成される、
ことを特徴とする包装容器。
【請求項７】
前記第１及び第２の係止部の高さは、前記被包装体の厚みと同じ寸法に形成されることを特徴とする請求項６に記載の包装容器。
【請求項８】
前記第１及び第２の板材の形状は正方形または長方形とし、前記第３の板材と接続する辺を除く３辺の中央部にそれぞれ前記第１及び第２の係止部を形成したことを特徴とする請求項７に記載の包装容器。
【請求項９】
前記第１及び第２の板材は、段ボールまたはボール紙であることを特徴とする請求項１乃至８のいずれか１項に記載の包装容器。
【請求項１０】
前記被包装体は、環形蛍光ランプであることを特徴とする請求項１乃至９のいずれか１項に記載の包装容器。
【発明の詳細な説明】
【技術分野】
【０００１】
本発明は環形蛍光ランプ等を収納する包装容器に関する。
【背景技術】
【０００２】
従来、環形蛍光ランプ１は、図７（ａ）に示すように、その環径と蛍光管の直径に合わせて製造された直方体の個装箱２に収納されていた。個装箱２は、例えば図７（ｂ）に示す展開図に基づいて切断された段ボール等を、所定の折曲線に従って折り曲げ、糊代をホットメルト等の接着剤で接合して形成される。これにより、個装箱２の上面部２ａ及び下面部２ｂの周囲の３辺が、側面部２ｃによって一定間隔に固定される。
【０００３】
更に、個装箱２に環形蛍光ランプ１を収納した後、補強片２ｄを内側に折り曲げ、更に蓋部２ｅに延設された差込片２ｆを筐体内部へ差し込む。これにより、蛍光ランプ１は、側面部２ｃと蓋部２ｅによって４つの辺が一定間隔に固定された上面部２ａ及び下面部２ｂからなる個装箱２に収納され、汚損が防止されると共に、外部からの圧力等による破損から保護される。
【０００４】
なお、個装箱２の上面部２ａや下面部２ｂ等の外側の面には、内部に収納する環形蛍光ランプ１の商品名や型番、仕様、取り扱い上の注意事項、製造業者名等を予め印刷しておくことができる。
【０００５】
下記特許文献１の図４等には、環形の蛍光ランプを収納する直方体の個装箱のコーナー部を２カ所以上にわたってカットし、例えば上面部及び下面部を六角形に形成して、環形蛍光ランプを保持する側面部を増加させた個装ケースが記載されている。これにより、個装ケースが落下したときに内部の環形蛍光ランプのがたつきが抑えられるので、この環形蛍光ランプに加わる落下衝撃が緩和され、破損のおそれを軽減することができるとされている。
【０００６】
特許文献２の図４等には、直方体の個装箱の上面部の内側に、収納した環形蛍光ランプを保持するための係止部を形成した包装箱装置が記載されている。係止部は、包装箱装置の上面部を切り起こすことによって、放射状に３組（２個１組）設けられている。この包装箱装置では、収納室内に突出した係止部の内側に、これらの係止部の内側を接点とする径に応じた外径を有する環形蛍光ランプを収納する。一方、係止部の外側には、これらの係止部の外側を接点とする径に応じた内径を有する環形蛍光ランプを収納する。これにより、１つの包装箱装置に環径の異なる２つの環形蛍光ランプを収納し、運搬時に伴う揺れ等に対しても接触することなく、破損を防止することができるとされている。
【０００７】
特許文献３には、透明な合成樹脂シートに商品形状（環形蛍光ランプ）を型取った凹部を形成した収容体を用意し、この凹部に商品を収容して背面側を板状の蓋体で覆うブリスターパックと呼ばれる包装容器が記載されている。
【先行技術文献】
【特許文献】
【０００８】
【特許文献１】特開２００３−１７５９９１号公報
【特許文献２】特開平８−１８３５１１号公報
【特許文献３】特開平１０−０９５４８３号公報
【発明の概要】
【発明が解決しようとする課題】
【０００９】
包装容器は、製品を汚損や破損なく、確実に顧客の手許に届けるために使用するものである。従って、包装容器から蛍光ランプ等の製品が顧客によって取り出された後は、この包装容器は廃棄物として処理されることになる。このため、包装容器の減量化と廃棄処理の容易性が、環境保護にとって重要な要素となる。
【００１０】
従来の個装箱は、展開図に基づいて切断された１枚の段ボールを、所定の折曲線に従って折り曲げ、糊代をホットメルト等の接着剤で接合して形成されている。このため、使用材料が比較的多く必要であり、リサイクル時には紙と接着剤を分離する必要がある等、廃棄処理の工程が複雑になるという課題があった。また、ブリスターパックは、合成樹脂を使用しているため、段ボール等の紙類に比べて廃棄処理の工程が複雑であるという課題があった。
【００１１】
本発明は、段ボール等の使用材料の削減が可能で、接着剤を使用せずに組み立てることができる包装容器を提供することを目的とする。
【課題を解決するための手段】
【００１２】
上記目的を達成するために、本発明の第１の観点に係る包装容器は、一定の厚みを有する被包装体を挟む第１及び第２の板材から成る包装容器であって、前記第１の板材は、前記被包装体の外側を保持するために切り起こしによって形成されて、中央部にスリットが設けられた複数の第１の係止部を有し、前記第２の板材は、前記第１の係止部と連携して前記被包装体の外側を保持するために切り起こしによって形成されて、それぞれ対応する前記第１の係止部のスリットに挿入して連結するための突起が設けられた複数の第２の係止部を有することを特徴とする。
【００１３】
本発明の第２の観点に係る包装容器は、一定の厚みを有する被包装体を挟む第１及び第２の板材と、該第１及び第２の板材を接続する第３の板材から成る包装容器であって、前記第１の板材は、前記被包装体の外側を保持するために切り起こしによって形成されて、中央部にスリットが設けられた複数の第１の係止部を有し、前記第２の板材は、前記第１の係止部と連携して前記被包装体の外側を保持するために切り起こしによって形成されて、それぞれ対応する前記第１の係止部のスリットに挿入して連結するための突起が設けられた複数の第２の係止部を有し、前記第１及び第２の板材は、前記被包装体の厚みとほぼ同じ幅に形成された前記第３の板材を介して接続されて一体形成されることを特徴とする。
【発明の効果】
【００１４】
本発明によれば、使用材料の削減が可能で、接着剤を使用せずに組み立てることが可能な包装容器を実現できる。
【図面の簡単な説明】
【００１５】
【図１】本発明の第１の実施形態に係る環形蛍光ランプの包装容器の組み立て図である。
【図２】図１中の段ボール材の展開図である。
【図３】環形蛍光ランプを収納した図１の包装容器を横から見た図である。
【図４】本発明の第２の実施形態に係る環形蛍光ランプの包装容器の展開図である。
【図５】その他の実施形態に係る段ボール材の展開図（その１）である。
【図６】その他の実施形態に係る段ボール材の展開図（その２）である。
【図７】従来の環形蛍光ランプの個装箱の説明図である。
【発明を実施するための形態】
【００１６】
［第１の実施形態］
図１は、本発明の第１の実施形態に係る環形蛍光ランプの包装容器の組み立て図である。この包装容器は、包装対象の環形蛍光ランプ１を挟むように配置された２枚の段ボール材１０，２０で構成されている。
【００１７】
環形蛍光ランプ１は、管径１４〜３２ｍｍの直管状の蛍光ランプを円形に曲成し、２つの端部間を口金１ａで橋絡したものである。環形の外径は、ワット数や品種によって異なるが、一般的には１２０〜４００ｍｍである。なお、環形の他、角に丸みを有する四角形に形成したスクエア形の蛍光ランプも存在する。
【００１８】
段ボール材１０，２０は、１辺が環形蛍光ランプ１の外径よりも２０ｍｍ程度大きい正方形となっている。一方の段ボール材１０の各辺の中央部には、切り起こしで形成された複数の係止部１１ａ，１１ｂ，１１ｃ，１１ｄが設けられている。これらの係止部１１ａ〜１１ｄは、環形蛍光ランプ１の外周に接する位置に配置されている。また、係止部１１ａ〜１１ｄの高さは、環形蛍光ランプ１の管径とほぼ等しい寸法に形成されている。更に、各係止部１１ａ〜１１ｄの中央部には、他方の段ボール材２０と嵌合させるためのスリット１２ａ〜１２ｄが形成されている。
【００１９】
他方の段ボール材２０の各辺の中央部には、段ボール材１０の係止部１１ａ〜１１ｄに対応して、切り起こしで形成された複数の係止部２１ａ，２１ｂ，２１ｃ，２１ｄが設けられている。これらの係止部２１ａ〜２１ｄの高さは、係止部１１ａ〜１１ｄと同様に、環形蛍光ランプ１の管径とほぼ等しい寸法に形成されている。
【００２０】
各係止部２１ａ〜２１ｄは、例えば典型的なキノコの断面形状に形成されている。係止部２１ａ〜２１ｄのキノコ形の傘の部分（即ち、突起２２ａ〜２２ｄ）を折り畳み、対応する係止部１１ａ〜１１ｄのスリット１２ａ〜１２ｄに挿通した後、折り畳んだ突起２２ａ〜２２ｄを開くことによって、これらの係止部１１ａ〜１１ｄと接続できるようになっている。
【００２１】
図２は、図１中の段ボール材の展開図である。
段ボール材１０は正方形に形成され、各辺の中央部の内側１０ｍｍ程度の箇所に、切り起こしによって、ほぼ長方形の係止部１１ａ〜１１ｄを形成するための切り目１３ａ〜１３ｄと、折り目１４ａ〜１４ｄが形成されている。また、各係止部１１ａ〜１１ｄの中央部には、それぞれスリット１２ａ〜１２ｄが打ち抜かれている。
【００２２】
一方、段ボール材２０には、各辺の中央部の内側１０ｍｍ程度の箇所に、切り起こしによって係止部２１ａ〜２１ｄを形成するためのキノコ形の切り目２３ａ〜２３ｄと、折り目２４ａ〜２４ｄが形成されている。更に、係止部２１ａ〜２１ｄの突起２２ａ〜２２ｄには、段ボール材１０の係止部１１ａ〜１１ｄのスリット１２ａ〜１２ｄに挿通するために、折り畳み用の折り目２５ａ〜２５ｄが形成されている。
【００２３】
これらの段ボール材１０，２０は、環形蛍光ランプ１を挟んで包装したときに外側となる面に、商品名や型番、仕様、取り扱い上の注意事項、製造業者名等を予め印刷した段ボール板を、打ち抜き機で所定の寸法に打ち抜くことによって製造することができる。
【００２４】
次に、図２の段ボール材１０，２０を使用して、環形蛍光ランプ１を包装する手順の一例を説明する。
【００２５】
まず、段ボール材１０の係止部１１ａ〜１１ｄを、それぞれ折り目１４ａ〜１４ｄに従って、内側（即ち、印刷等が施された表面の反対側）にほぼ垂直に折り曲げる。また、段ボール材２０の係止部２１ａ〜２１ｄの突起２２ａ〜２２ｄを、それぞれ折り目２５ａ〜２５ｄに従って外側に折り畳むと共に、係止部２１ａ〜２１ｄ全体を折り目２４ａ〜２４ｄに従って内側にほぼ垂直に折り曲げる。
【００２６】
次に、環形蛍光ランプ１を、その外周部が段ボール材２０の４カ所の係止部２１ａ〜２１ｄに接するように、段ボール材２０の内側に載置する。
更に、環形蛍光ランプ１の上から段ボール材１０を被せ、この段ボール材１０の係止部１１ａ〜１１ｄのスリット１２ａ〜１２ｄに、段ボール材２０の対応する係止部２１ａ〜２１ｄの突起２２ａ〜２２ｄを挿通する。
【００２７】
その後、係止部２１ａ〜２１ｄの突起２２ａ〜２２ｄを外側に広げる。これにより、図３に示すように、環形蛍光ランプ１は、段ボール材１０，２０によって挟まれると共に、これらの段ボール材１０，２０に切り起こしで形成された係止部１１ａ〜１１ｄ，２１ａ〜２１ｄで外周部が固定されて保持される。また、段ボール材１０の係止部１１ａ〜１１ｄと、段ボール材２０の係止部２１ａ〜２１ｄは、内側に環形蛍光ランプ１を保持した状態で、それぞれスリットと突起によって確実に連結される。
【００２８】
以上のように、第１の実施形態に係る環形蛍光ランプの包装容器は、包装材料として１辺が環形蛍光ランプ１の外径よりも若干大きい２枚の正方形の段ボール材１０，２０のみで構成されている。従って、従来の箱形の容器に比べて、使用材料を削減することができる。
【００２９】
また、２枚の段ボール材１０，２０は、それぞれ切り起こしで形成された係止部１１ａ〜１１ｄ，２１ａ〜２１ｄで連結されるので、ホットメルト等の接着剤を使用する必要がない。従って、包装容器から環形蛍光ランプ１を取り出した後の、不要になった包装容器（廃段ボール）のリサイクル処理が容易になる。
【００３０】
更に、包装前は２枚の段ボール材１０，２０に分離されているので、一方の段ボール材（例えば、段ボール材１０）の表面には、包装する環形蛍光ランプ１の品種毎に、固有の情報（例えば、商品名、型名、仕様等）を印刷する。そして、他方の段ボール材２０の表面には、環形蛍光ランプ１の品種を特定せずに、環形蛍光ランプ全般に共通する事項（例えば、安全上の注意、使用上の注意、製造社名、住所、連絡先等）を印刷する。これにより、共通事項を印刷する段ボール材２０は、一括して大量に生産することができるので、コストダウンを図ることができる。
【００３１】
［第２の実施形態］
図４は、本発明の第２の実施形態に係る環形蛍光ランプの包装容器の展開図である。なお、図４において、図２中の要素と共通の要素には、共通の符号が付されている。
【００３２】
この包装容器は、第１の実施形態で２枚に分割されていた段ボール材１０，２０の形状を若干変更してそれぞれ表面部１０Ａと裏面部２０Ｂにすると共に、これらの表面部１０Ａと裏面部２０Ｂの間を側面部３０を介して接続し、一体化した１枚の段ボール材として形成したものである。
【００３３】
表面部１０Ａと裏面部２０Ａは、いずれも側面部３０に接続された辺が環形蛍光ランプ１の外径よりも２０ｍｍ程度大きく、これに垂直な他の辺が環形蛍光ランプ１の外径よりも１０ｍｍ程度大きく形成されて、正方形に近い長方形となっている。
【００３４】
表面部１０Ａの側面部３０に接続された辺を除く３辺の中央部には、切り起こしで３カ所の係止部１１ａ，１１ｂ，１１ｃを形成するための切り目１３ａ〜１３ｃと折り目１４ａ〜１４ｃが形成されている。係止部１１ａ〜１１ｃは、側面部３０に環形蛍光ランプ１を当接させたときに、この環形蛍光ランプ１の外周に接する位置に配置されている。
【００３５】
また、係止部１１ａ〜１１ｃの高さは、環形蛍光ランプ１の管径とほぼ等しい寸法に形成されている。更に、各係止部１１ａ〜１１ｃの中央部には、裏面部２０Ａと嵌合させるためのスリット１２ａ〜１２ｃが形成されている。
【００３６】
裏面部２０Ａは、表面部１０Ａの係止部１１ａ〜１１ｃに対応する箇所に、切り起こしによって係止部２１ａ〜２１ｃを形成するためのキノコ形の切り目２３ａ〜２３ｃと、折り目２４ａ〜２４ｃが形成されている。更に、キノコ形の傘の部分に相当する突起２２ａ〜２２ｃには、段ボール材１０の係止部１１ａ〜１１ｃのスリット１２ａ〜１２ｃに挿通するために、折り畳み用の折り目２５ａ〜２５ｃが形成されている。
【００３７】
一方、側面部３０は、それぞれ表面部１０Ａ及び裏面部２０Ａとの境界に形成された折り目３１，３２に従って直角に折り曲げることにより、これらの表面部１０Ａと裏面部２０Ａを所定の間隔（即ち、環形蛍光ランプ１の管径とほぼ等しい寸法）に固定するものである。
【００３８】
このような包装容器を使用して環形蛍光ランプ１を包装する手順は、第１の実施形態とほぼ同様である。
即ち、表面部１０Ａの係止部１１ａ〜１１ｃを、それぞれ折り目１４ａ〜１４ｃに従って、内側（即ち、印刷等が施された面の反対側）にほぼ垂直に折り曲げる。また、裏面部２０Ａの係止部２１ａ〜２１ｃの突起２２ａ〜２２ｃを、それぞれ折り目２５ａ〜２５ｃに従って外側に折り畳むと共に、これらの係止部２１ａ〜２１ｃ全体を折り目２４ａ〜２４ｃに従って内側にほぼ垂直に折り曲げる。
【００３９】
次に、側面部３０の折り目３１，３２に従って、表面部１０Ａ及び裏面部２０Ａを直角に折り曲げた後、表面部１０Ａと裏面部２０Ａの間を若干開き、環形の外周部が側面部３０の内側と裏面部２０Ａの３カ所の係止部２１ａ〜２１ｃに接するように、環形蛍光ランプ１を包蔵容器の内側に載置する。
【００４０】
更に、環形蛍光ランプ１を挟んだ状態で、表面部１０Ａの係止部１１ａ〜１１ｃのスリット１２ａ〜１２ｃに、裏面部２０Ａの対応する係止部２１ａ〜２１ｃの折り畳んだ突起２２ａ〜２２ｃを挿通する。
【００４１】
その後、係止部２１ａ〜２１ｃの折り畳んだ突起２２ａ〜２２ｃを外側に広げる。これにより、環形蛍光ランプ１は、表面部１０Ａと裏面部２０Ａによって挟まれると共に、これらの表面部１０Ａと裏面部２０Ａに切り起こしで形成された係止部１１ａ〜１１ｃ，２１ａ〜２１ｃと、側面部３０によって外周部が固定されて保持される。また、表面部１０Ａの係止部１１ａ〜１１ｃと、裏面部２０Ａの係止部２１ａ〜２１ｃは、内側に環形蛍光ランプ１を保持した状態で、スリット１２と突起２２によって確実に連結される。
【００４２】
以上のように、第２の実施形態に係る環形蛍光ランプの包装容器は、包装材料として１辺が環形蛍光ランプ１の外径よりも若干大きいほぼ正方形の２つの表面部１０Ａと裏面部２０Ａと、これらを接続する側面部３０で構成されている。従って、従来の箱形の容器に比べて、使用材料を削減することができる。
【００４３】
また、表面部１０Ａと裏面部２０Ａは、それぞれ切り起こしで形成された係止部１１ａ〜１１ｃと係止部２１ａ〜２１ｃで連結されるので、ホットメルト等の接着剤を使用する必要がない。従って、包装容器から環形蛍光ランプ１を取り出した後の、不要になった包装容器のリサイクル処理が容易になる。
【００４４】
更に、表面部１０Ａと裏面部２０Ａの１つの辺は、側面部３０で接続されているので、第１の実施形態よりも包装容器としての高い強度が得られる。
【００４５】
但し、表面部１０Ａと裏面部２０Ａは、側面部３０と共に一体化して形成されるので、包装容器の表面には包装する環形蛍光ランプ１の品種毎の情報を印刷する必要がある。このため、第１の実施形態のように共通事項のみを印刷することによるコストダウンは困難である。
【００４６】
なお、本発明は、上記第１及び第２の実施形態に限定されるものではなく、次のような種々の変形が可能である。
（ａ）  第１の実施形態では、正方形の段ボール材１０，２０の各辺の中央部に、それぞれ係止部１１ａ〜１１ｄ、係止部２１ａ〜２１ｄを設けているが、例えば、図５に示すように、正方形の４隅にそれぞれ係止部１１ａ〜１１ｄを設けた段ボール材１０Ｂと、係止部２１ａ〜２１ｄを設けた段ボール材２０Ｂを使用することができる。また、図６に示すように、それぞれ３カ所に係止部１１ａ〜１１ｃを設けた段ボール材１０Ｃと、係止部２１ａ〜２１ｃを設けた段ボール材２０Ｃを使用することもできる。即ち、係止部の位置と数は、例示したものに限定されない。
【００４７】
（ｂ）  包装容器の材料として、段ボール板を使用しているが、ボール紙等の厚手の板紙を用いても良い。また、合成樹脂の板材を使用することも可能である。但し、その場合は、廃棄処理（リサイクル処理）の容易性を考慮した材質の合成樹脂を選択する必要がある。
（ｃ）  係止部１１ａ〜１１ｄと係止部２１ａ〜２１ｄの形状は、例示したものに限定されない。即ち、段ボール等の２つの部材を、接着剤を用いずに確実に連結できるものであれば良い。
【００４８】
（ｄ）  第１の実施携帯の段ボール材１０，２０の形状は、正方形に限定されない。例えば、円形でも良いし、正方形の角を切り取った八角形でも良い。また、第２の実施形態についても同様である。
（ｅ）  環形蛍光ランプ用の包装容器について説明したが、包装対象の物品は環形蛍光ランプに限定されない。この包装容器は、一定の厚みを有して扁平な面を有する物品であれば、同様に適用可能である。その場合、段ボール材１０，２０の形状は、包装する物品の形状に合わせる必要がある。
【符号の説明】
【００４９】
１    環形蛍光ランプ
１０，２０    段ボール材
１０Ａ    表面部
１１ａ〜１１ｄ，２１ａ〜２１ｄ    係止部
１２ａ〜１２ｄ    スリット
１３ａ〜１３ｄ，２３ａ〜２３ｄ    切り目
１４ａ〜１４ｄ，２４ａ〜２４ｄ，２５ａ〜２５ｄ    折り目
２０Ｂ    裏面部
２２ａ〜２２ｄ    突起
３０    側面部
【図１】
2010168097.tif 000003
【図２】
2010168097.tif 000004
【図３】
2010168097.tif 000005
【図４】
2010168097.tif 000006
【図５】
2010168097.tif 000007
【図６】
2010168097.tif 000008
【図７】
2010168097.tif 000009